(57)【特許請求の範囲】
【請求項１】
角形の筒の平行する２組の側面をそれぞれ上下に延長し、その延長した部分を内側に折り曲げてその先端を側面から等距離の位置で突き合わせ、内外の前記突き合わせた部分が上下方向から見て互いに直交するように重ね合わせて上面及び底面が形成されており、ロール状の被収容物を収容するロール収容箱であって、
前記上面及び／又は前記底面の内側及び外側の前記突き合わせた部分の一部をそれぞれ先端方向に延長した延長部を内側に折り曲げ、前記被収容物の内側面に接してその被収容物の内側面を支持する支持部を形成したこと、及び、
前記各側面の中央付近に、横に分離線を形成し、開封時に前記分離線を切り取り、前記中央付近から２つに分離できるようにし、
前記各面の延長部は、その両側辺が先端側の方にいくほど幅が狭い階段状に形成されていること、
を特徴とするロール収容箱。
【請求項２】
請求項１に記載のロール収容箱において、
前記上面及び／又は前記底面の内側の面とその面に続く前記延長部とに跨がって形成され、前記上面及び／又は前記底面の外側の面に続く前記延長部を挿入する貫通孔と、
前記上面及び／又は前記底面の外側の面に続く前記延長部の先端中央部に形成され、前記貫通孔の先端側端部に十字形に交叉して係合する切り込みと、
を備えることを特徴とするロール収容箱。
【発明の詳細な説明】
【０００１】
【発明の属する技術分野】
本発明は、ロール状に巻かれた紙、フィルム、織物などの被収容物を入れるためのロール収容箱に関するものである。
【０００２】
【従来の技術】
印刷機用又はプリンタ用の消耗品には、熱転写受像紙、インクリボン、プリンタ用シール、ロールタイプの写真用紙などのようにロール状に巻き取られた状態（以下、ロールペーパという）で、保管、運搬されるものが多い。
通常、ロールペーパは、巻芯部が成形品コア又は紙管のコアで固定されており、外側は、巻芯コアに横ずれ防止用フランジ（成形品）を嵌合させるか、パット［クッション材、成形品、段ボール、熱収縮（シュリンク）フィルム等］で横ずれを規制していた。
【０００３】
【発明が解決しようとする課題】
このため、前述のロールペーパは、箱に入れる前に、外周を透明な熱収縮フィルムで覆って加熱する作業や、クッション材等で包む作業が必要で有る。しかも、この被収容物を取り出して使用するとき、熱収縮フィルムを剥がさないでプリンタ等に装填してしまう誤使用も発生していた。さらに、使用される熱収縮フイルムやクッション材は、殆ど、廃棄焼却時に有害物質を生成し、自然環境を汚染するという問題が指摘されている。
【０００４】
これらの問題を解決するために、巻芯コアや、横ずれを規制するフランジ等をすべてなくしたコアレスロールペーパが提案されている。
しかし、コアレスロールペーパは、横方向にずれやすく（竹の子状）、また、内・外の円形が崩れやすい。いうまでもなく、上述した従来のロールペーパは、コアがあるために、このような心配はいらなかった。
この円形が崩れることによる不具合としては、プリンタにロールペーパをセットする際に、形が崩れているとプリンタ部品で保持することがでない（例えば、ロールペーパの内側の形に合わせた部品が入らない等）ために、プリンタにセットすることができない、という問題があった。
【０００５】
本発明の課題は、作業ミスを引き起こすことなく、廃棄焼却時に有害物質を生成する素材を一切使用せず、箱の構造のみで、コアをなくしたために生ずる被収容物の縦、横、形すべての形崩れや損傷を防ぎ、箱内の位置を固定して、保管・輸送などができるロール収容箱を提供することである。
【０００６】
【課題を解決するための手段】
前記課題を解決するために、請求項１の発明は、角形の筒の平行する２組の側面をそれぞれ上下に延長し、その延長した部分を内側に折り曲げてその先端を側面から等距離の位置で突き合わせ、内外の前記突き合わせた部分が上下方向から見て互いに直交するように重ね合わせて上面及び底面が形成されており、ロール状の被収容物を収容するロール収容箱であって、前記上面及び／又は前記底面の内側及び外側の前記突き合わせた部分の一部をそれぞれ先端方向に延長した延長部を内側に折り曲げ、前記被収容物の内側面に接してその被収容物の内側面を支持する支持部を形成したこと、及び、前記各側面の中央付近に、横に分離線を形成し、開封時に前記分離線を切り取り、前記中央付近から２つに分離できるようにし、前記各面の延長部は、その両側辺が先端側の方にいくほど幅が狭い階段状に形成されていること、を特徴とするロール収容箱である。
【０００７】
請求項２の発明は、請求項１に記載のロール収容箱において、前記上面及び／又は前記底面の内側の面とその面に続く前記延長部とに跨がって形成され、前記上面及び／又は前記底面の外側の面に続く前記延長部を挿入する貫通孔と、前記上面及び／又は前記底面の外側の面に続く前記延長部の先端中央部に形成され、前記貫通孔の先端側端部に十字形に交叉して係合する切り込みと、を備えることを特徴とするロール収容箱である。
【０００８】
【発明の実施の形態】
以下、図面などを参照しながら、本発明の実施の形態をあげて、さらに詳しく説明する。
図１は、本発明によるロール収容箱の実施形態の上面を開放した状態で示す斜視図である。
図２は、図１の実施形態のロール収容箱を展開した平面図である。
図３は、図２の側面と底面を組み立てて図１の状態にして、上から見た平面図である。
参考のために、図１及び図２には、このロール収容箱に入れる被収容物Ｒの収容位置を２点鎖線で示した。
【０００９】
本実施形態のロール収容箱では、組み立てた状態の外形は、上面と底面が略正方形の角形の直方体である。この直方体を形成する素材は、段ボール紙又は他の梱包用板紙でよく、廃棄後のことも考えて、環境に優しい素材を使用することが望ましい。
側面は、図１〜図３に示すように、角形の筒の平行する２組の側面１，３と、側面２，４とが交互に配置されている。
上面と底面は、それぞれ２重になっていて、内側になる面（以下、内面という）の外側に、外側になる面（以下、外面という）が重ねられる。
【００１０】
上面の場合には、内面は、側面２，４を上側に延長した部分（以下、上部内側半面という）１２，１４を、側面との境の折り目１２ｄ，１４ｄの所で内側に折り曲げ、両者を互いに突き合わせて構成される。
外面は、側面１，３を上側に延長した部分（以下、上部外側半面という）１１，１３を、側面との境の折り目１１ｄ，１３ｄの所で内側に折り曲げ、両者を互いに突き合わせて構成される。
【００１１】
同様に、底面の場合にも、内面は、側面２，４を下側に延長した部分（以下、底部内側半面という）２２，２４を、側面との境の折り目２２ｄ，２４ｄの所で内側に折り曲げ、両者を互いに突き合わせて構成される。
外面は、側面１，３を下側に延長した部分（以下、底部外側半面という）２１，２３を、側面との境の折り目２１ｄ，２３ｄの所で内側に折り曲げ、両者を互いに突き合わせて構成される。
【００１２】
上部内側半面１２，１４の突き合わせ部１５ａ、上部外側半面１１，１３の突き合わせ部１５ｂ、底部内側半面の２２，２４の突き合わせ部１６ａ及び底部外側半面２１，２３の突き合わせ部１６ｂは、それぞれ側面から折り曲げる位置から等距離にある。
そして、内面の突き合わせ部１５ａ，１６ａと、外面の突き合わせ部１５ｂ，１６ｂとは、それぞれ上下方向から見て十文字状に直交する。
なお、突き合わせ部１５ａは、図４に、突き合わせ部１５ｂは、図６にそれぞれ示すが、突き合わせ部１６ａ、１６ｂは、図示を省略した。
【００１３】
被収容物支持部５、６は、上面と底面の内側の中央部にあり、上面内側の被収容物支持部（以下、ロール芯上支持部という）５と、底面内側の被収容物支持部（以下、ロール芯下支持部という）６とが一対となって、収容すべきロール状の被収容物Ｒの芯中空部の位置を固定することができる（なお、図１，図３に、ロール芯下支持部６のみが組み立てた状態で示されている）。
被収容物Ｒの下部を支えるロール芯下支持部６は、底部内側半面２２，２４を、それぞれ延長した部分（以下、底内面延長部という）４２，４４と、底部外側半面２１，２３を、それぞれ延長した部分（以下、底外面延長部という）４１，４３が組み合わされて構成されている。
【００１４】
ロール芯上支持部５（組み立てた状態では図示しされていない）は、上部内側半面１２，１４を、それぞれ延長した部分（以下、上内面延長部という）３２，３４と、上部外側半面１１，１３を、それぞれ延長した部分（以下、上外面延長部という）３１，３３が組み合わされて、ロール芯下支持部６と同様に構成される。
【００１５】
上部内側半面１２，１４には、それぞれの中央部から折り目３２ｅ，３４ｅの中央部に至る細長い貫通孔３２ａ，３４ａがあり、上内面延長部３２，３４の中央部から折り目３２ｅ，３４ｅの中央部に至る細長い貫通孔３２ｂ、３４ｂと一体になって繋がっている。
また、上部内側半面１１，１３には、それぞれの中央部から先端の中央部にかけて細長い切り込み３１ｂ，３３ｂが設けられている。
貫通孔３２ａ，３２ｂ，３４ａ，３４ｂ、及び、切り込み３１ｂ，３３ｂは、ロール芯上支持部５を組み立てるために必要な孔と切り込みである。
【００１６】
上面と同様に、底部内側半面２２，２４には、それぞれに、細長い貫通孔４２ａ，４４ａがあり、底内面延長部４２，４４の細長い貫通孔４２ｂ，４４ｂと一体になって繋がっている。
また、底部内側半面２１，２３には、それぞれの中央部から先端の中央部にかけて、細長い切り込み４１ｂ，４３ｂが設けられている。
貫通孔４２ａ，４２ｂ，４４ａ，４４ｂ、及び、切り込み４１ｂ，４３ｂは、ロール芯下支持部６を組み立てるために必要な孔と切り込みである。
【００１７】
図２の状態から、図１又は図３のように底面を組み立てた状態に、するためには、先ず、折り目４１ｃ，１２ｃ，２３ｃ，３４ｃで山折りにして、繋ぎ代４１を、側面４の端部に重ねて固定し四角な筒型にする。
次に、折り目２２ｄ，２４ｄ、及び、折り目４２ｅ，４４ｅを、それぞれ山折りにする。そして、底内面延長部４２，４４が互いに背中合わせになるようにして、底部内側半面２２，２４が面一になるように突き合わせて、底部の内側の面を形成する。
【００１８】
さらに、折り目２１ｄ，２３ｄ、及び、折り目４１ｅ，４３ｅを、それぞれ山折りにして、底外面延長部４１，４３が互いに背中合わせになるようにして、先端を貫通孔４２ａ，４２ｂ，４４ａ，４４ｂに挿入すると、底部外側半面２１，２３が突き合わされて面一となり、底部の外側の面を形成する。
こうして、ロール芯下支持部６が組み立てられる。この状態で、被収容物Ｒを入れ、底部の場合と同様の手順で、ロール芯上支持部５の構成と同時に上面を形成すれば、箱は閉じられ、保管や運搬に適した形態となる。
被収容物Ｒの形態の一例は図７の斜視図に示す通りである。図７の例は、芯のないロールの場合であるが、芯があっても、芯が中空のある筒状であれば、図７のものと同様に扱うことができる。
【００１９】
次に、上部の組み立ての手順を、図４〜図６に基づいて説明する。
なお、底部の組み立てについては、上部の組み立てと同様であるので、上述の説明のみで図示は省略した。
図４は、図１の状態から、上部内面延長部３２を上部内側半面１２との境の折り目３２ｅの所から内側に（下向きに）折り曲げて垂下させ、上部内面延長部３４を上部内側半面１４との境の折り目３４ｅの所から内側に（下向きに）折り曲げて上部内面から垂下させたところである。
【００２０】
垂下した上部内面延長部３２，３４は、互いに背中合わせの状態であり、上部内側半面１２，１４は面一になっている。
上部内側半面１２，１４の面には、貫通孔３２ａ，３４ａがあり、それに続いて一体化された図示されていない上内面延長部の貫通孔３２ｂ，３４ｂがある（図１参照）。
図５は、これらの貫通孔３２ｂ，３４ｂに、上外面延長部３１，３３を挿入する直前の状態を示したものであり、側面４の方向から見た斜視図である。
【００２１】
図５の状態からさらに、上外面延長部３１，３３を押し下げると、上外面延長部３１，３３の先端中央部には、切り込み３１ｂ，３３ｂがあるので、切り込み３１ｂ，３３ｂに、上内面延長部の貫通孔３２ｂ，３４ｂの下側になっている端の部分が十文字状に交叉して係合する。
この交叉によって、上外面延長部３１，３３は、上内面延長部３２，３４との位置関係が固定される。
【００２２】
しかも、この段階では、被収容物Ｒが入れられており、被収容物Ｒの中央の筒状の中空部の下部には、既に、下外面延長部４１，４３と、それに直交する下内面延長部４２，４４の外側端部とが接触し、被収容物Ｒの下部は、固定されている。
従って、前述したように、上外面延長部３１，３３と、それに直交する上内面延長部３２，３４の外側端部とが、被収容物Ｒの中央の筒状の中空部の上部に内側から接触することによって、被収容物Ｒは、本実施形態の箱の中に、遊びの余裕がなく確実に支持される。図６は、この状態を示す斜視図である。
【００２３】
（他の実施形態）
以上説明した実施形態に限定されることなく、種々の変形や変更が可能であって、それらも本発明の均等の範囲内である。
例えば、被収容物支持部の構成は、上記以外にも種々の変形が考えられる。
図８は、本発明によるロール収容箱の変形形態の展開した一部を示す説明図である。
図８の場合は、上部外側半面５１の一部を延長した上外面延長部６１の中央に設けられた切り込みが深く折り目５１ｅに達する切り欠きとなっている。そして、隣接する上部内側半面５２の一部を延長した上内面延長部６２には、上部内側半面５２に設けられた貫通孔６２ａに続く貫通孔は設けられていない。図示を省略した底外面延長部、底内面延長部を含む他の部分も同様である。
【００２４】
図９は、他の変形形態の展開した一部を示す説明図である。
図９の場合は、上部外側半面７１の一部を延長した上外面延長部８１には、先端中央の切り込みが無く、先端までの長さはやや短い。隣接する上部内側半面７２の一部を延長した上内面延長部８２には、上部内側半面７２に設けられた貫通孔８２ａに続き一体化された貫通孔８２ｂが設けられている。そして、上内面延長部８２の先端までの長さは、上外面延長部８１より長い。図示を省略した底外面延長部、底内面延長部を含む他の部分も同様である。
【００２５】
図１０は、さらに他の変形形態の展開した一部を示す説明図である。
図１０の場合は、各面延長部の切り込みや貫通孔の状況は、ほぼ図２の場合と同様であるが、各面延長部１０１，１０２，１０３・・・の両側辺が先端側の方が幅が狭い階段状に形成されている。したがって、収容すべき被収容物の寸法が、ロールの外径が箱の内法以下で、中空部の径が一段と小さいものについても、対応することができる。
【００２６】
図８、図９、図１０の変形形態は、いずれも、図１〜図６に示した実施形態に比べ、被収容物の支持の確実さは若干劣るものの、ほぼ同一の目的を達成することができるし、特に、図１０のものは、多種類の形状のロールに対応できるというメリットがある。
【００２７】
ロール芯上支持部５とロール芯下支持部６とが一対となって、被収容物Ｒの芯中空部の位置を固定する例で説明したが、用途によっては、いずれか一方のみで支持するようにしてもよい。
被収容物Ｒは、その外周面が収容箱に内面に接触して固定するようにしてあるが、芯側の支持部５，６で支持が十分な場合には、収容箱の内面に接しないようにしてもよい。このようにすれば、被収容物を包装しなくても、外周面を傷つける心配がない。
【００２８】
図１１の変形形態は、収容箱の側面１，２，３，４の中央付近に、横にミシン目１１０を形成し、開封時にミシン目１１０を切り取り、収容箱の中央付近から２つに分離できるようにした。このようにすれば、被収容物Ｒであるロール紙を収容箱から取り出しやすくなり、ひいては、プリンタにセットしやすく。
【００２９】
図１２の実施形態は、段ボール製で紙の厚さのみのスペーサ１２１や、４辺に折り曲げ可能に連接された舌状片１２２ａが設けられたスペーサ１２２などを用意（厚さや舌状片１２２ａの高さの異なるものを複数用意）し、それらのスペーサを数種類組み合わせ、被収容物Ｒであるロール紙を、その高さに合わせて梱包するようにした。このようにすれば、複数種類のサイズの異なる被収容物Ｒを同じ収容箱に梱包することができる。
【００３０】
この他にも変形形態は、色々考えられるが、本発明の趣旨に沿うものであれば、そのいずれもが本発明に含まれる。
【００３１】
【発明の効果】
以上説明したように、本発明によれば、ロール状の被収容物の中心部を支持するので、箱の構造のみで、その被収容物を支持し、変形や損傷がなく、確実に保管・運搬することができる、という効果がある。
【図面の簡単な説明】
【図１】本発明によるロール収容箱の実施形態を上面開放状態で示す斜視図である。
【図２】図１の実施形態の箱を開いて展開した平面図である。
【図３】図２の状態から側面と底面を組み立てて上から見た平面図である。
【図４】上部内面延長部を背中合わせにして上部内側半面同士を突き合わせた状態を示す斜視図である。
【図５】上部内側半面の貫通孔に上外面延長部を挿入する直前の状態を示す斜視図である。
【図６】被収容物が本実施形態の箱の中に収容された状態を示す斜視図である。
【図７】被収容物の一例を示す斜視図である。
【図８】本発明によるロール収容箱の変形形態を展開した一部を示す説明図（平面図）である。
【図９】図８とは異なる他変形形態を展開した一部を示す説明図（平面図）である。
【図１０】さらに他の変形形態を展開した一部を示す説明図（平面図）である。
【図１１】本実施形態による収容箱の他の変形形態（ミシン目のあるもの）を展開した説明図（平面図）である。
【図１２】本実施形態の収容箱に用いるスペーサを示しす説明図（平面図）である。
【符号の説明】
１、２、３、４  箱の側面
１１、１３  上部外側半面
１２、１４  上部内側半面
２１、２３  底部外側半面
２２、２４  底部内側半面
３１、３３  上外面延長部
３２、３４  上内面延長部
４１、４３  底外面延長部
４２、４４  底内面延長部
３１ｂ、３３ｂ、４１ｂ、４３ｂ  切り込み
３２ａ、３２ｂ、３４ａ、３４ｂ  上部内側半面と上内面延長部の貫通孔
４２ａ、４２ｂ、４４ａ、４４ｂ  底部内側半面と底内面延長部の貫通孔
Ｒ  被収容物
【図１】
0004982929.tif 000002
【図２】
0004982929.tif 000003
【図３】
0004982929.tif 000004
【図４】
0004982929.tif 000005
【図５】
0004982929.tif 000006
【図６】
0004982929.tif 000007
【図７】
0004982929.tif 000008
【図８】
0004982929.tif 000009
【図９】
0004982929.tif 000010
【図１０】
0004982929.tif 000011
【図１１】
0004982929.tif 000012
【図１２】
0004982929.tif 000013